(57)【要約】【課題】  デスク構造の中にコンピュータシステムが取り付けられたデスク型コンピュータ装置を提供する。【解決手段】  デスク型コンピュータ装置は、コンピュータシステム配置部を有する机本体１０を備える。コンピュータシステム配置部の中には、コンピュータ演算システム２０、入力インタフェース２１、電源システム２２、放熱システム２３及び１つ以上の並列式ディスプレイ２４が配置されている。コンピュータ演算システム２０には、キーボード２５及びマウス２６の制御装置が無線方式により接続されている。机本体１０の内部に、コンピュータシステムを直接配置することにより、机と装置とが一体に結合されたシステムアーキテクチャを構成し、ディスプレイ２４のそれぞれで実行されるシステムの切換え又は制御を行なう。【選択図】  図２
0003167581.tif 000002
【実用新案登録請求の範囲】
【請求項１】
コンピュータシステム配置部を有する机本体を備えるデスク型コンピュータ装置であって、
前記コンピュータシステム配置部においては、コンピュータ演算システム、入力インタフェース、電源システム、放熱システム及び１つ以上の並列式ディスプレイが配置され、
前記コンピュータ演算システムには、キーボード及びマウスの制御装置が無線方式により接続され、
前記机本体において、コンピュータシステムを直接配置することにより、机と装置とが一体に結合されたシステムアーキテクチャを構成し、前記ディスプレイのそれぞれで実行されるシステムを切換え又は制御することを特徴とするデスク型コンピュータ装置。
【請求項２】
前記コンピュータ演算システムは、前記入力インタフェース、前記電源システム、前記放熱システム及び前記ディスプレイと接続されてなることを特徴とする請求項１に記載のデスク型コンピュータ装置。
【請求項３】
前記ディスプレイは、前記机本体の机上面部に嵌設され、傾斜角度が調整可能であり、上方に取り付けられている反射防止用カバーを有することを特徴とする請求項１に記載のデスク型コンピュータ装置。
【考案の詳細な説明】
【技術分野】
【０００１】
本考案は、デスク型コンピュータ装置に関するものであり、さらに詳しくは、デスク構造の中にコンピュータシステムが配置されたデスク型コンピュータ装置に関するものである。
【背景技術】
【０００２】
従来のデスクトップ型パソコンによれば、コンピュータケースの中に配置されたコンピュータシステムが、ディスクプレイ、マウス、キーボードなどの付属装置と電線により接続されている。
【０００３】
しかし、この従来のコンピュータ構造には、以下のような欠点がある。例えば、コンピュータケースの中にコンピュータシステム構造を配置する従来の方式では、コンピュータ技術の急速な発展により、ソフトウェア及びハードウェアが淘汰される周期が短くなり、システムをアップグレードする際、コンピュータケースの内部空間が小さくなったり、設置する規格が合致しなくなったりした場合、コンピュータケースを使用し続けることができなくなる虞があった。
【考案の開示】
【考案が解決しようとする課題】
【０００４】
従って、本考案の課題は、机本体構造がコンピュータ演算システム、入力インタフェース、電源システム、放熱システム及び１つ以上の並列式ディスプレイを含み、ディスプレイ装置が机本体の机上面部に配置され、無線方式で接続されたキーボード及びマウス制御装置により、各ディスプレイで実行されるシステムを切換えたり制御したりすることができるデスク型コンピュータ装置を提供することにある。
【０００５】
本考案のもう一つの課題は、机本体とコンピュータシステムとを統合した構造により、マルチタスクを表示したり、操作を切換えたりすることができる上、ハードウェアのアップグレードを容易に行うことができるため、コンピュータのケース又はディスプレイのケースを大量に製造する必要がなくなって環境に悪影響を与えないデスク型コンピュータ装置を提供することにある。
【課題を解決するための手段】
【０００６】
前記課題を解決するために、本考案によれば、コンピュータシステム配置部を有する机本体を備えるデスク型コンピュータ装置であって、前記コンピュータシステム配置部においては、コンピュータ演算システム、入力インタフェース、電源システム、放熱システム及び１つ以上の並列式ディスプレイが配置され、前記コンピュータ演算システムには、キーボード及びマウスの制御装置が無線方式により接続され、前記机本体において、コンピュータシステムを直接配置することにより、机と装置とが一体に結合されたシステムアーキテクチャを構成し、前記ディスプレイのそれぞれで実行されるシステムを切換え又は制御することを特徴とするデスク型コンピュータ装置が提供される。
【０００７】
前記コンピュータ演算システムは、前記入力インタフェース、前記電源システム、前記放熱システム及び前記ディスプレイと接続されていることが好ましい。
【０００８】
前記ディスプレイは、前記机本体の机上面部に嵌設され、傾斜角度が調整可能であり、上方に取り付けられている反射防止用カバーを有することが好ましい。
【考案の効果】
【０００９】
本考案のデスク型コンピュータ装置は、以下（１）及び（２）の効果を奏する。
（１）机本体構造がコンピュータ演算システム、入力インタフェース、電源システム、放熱システム及び１つ以上の並列式ディスプレイを含み、ディスプレイ装置が机本体の机上面部に配置され、無線方式により接続されたキーボード及びマウス制御装置により、各ディスプレイで実行されるシステムを切換えたり制御したりすることができる。
（２）机本体とコンピュータシステムとを統合した構造により、マルチタスクを表示したり、操作を切換えたりすることができるため、ハードウェアのアップグレードを容易に行うことができる上、コンピュータのケース又はディスプレイのケースを大量に製造する必要がなくなって環境に悪影響を与えることがない。
【図面の簡単な説明】
【００１０】
【図１】本考案の一実施形態によるデスク型コンピュータ装置を示す斜視図である。
【図２】本考案の一実施形態によるデスク型コンピュータ装置を示すブロック図である。
【図３】本考案の一実施形態によるデスク型コンピュータ装置のディスプレイの角度を調整するときの状態を示す模式図である。
【図４】本考案の一実施形態によるデスク型コンピュータ装置を実際に使用するときの状態を示す模式図である。
【考案を実施するための最良の形態】
【００１１】
以下、本考案の実施形態について図面に基づいて説明する。もちろん、これらによって本考案が限定されるものではない。
【００１２】
図１及び図２を参照する。図１及び図２に示すように、本考案の一実施形態によるデスク型コンピュータ装置は、コンピュータシステム配置部１２を有する机本体１０を含む。コンピュータシステム配置部１２の中には、コンピュータ演算システム２０、入力インタフェース２１、電源システム２２、放熱システム２３及び１つ以上の並列式ディスプレイ２４が配置されている。ディスプレイ２４は、机本体１０の机上面部１１に嵌設する。また、コンピュータ演算システム２０には、キーボード２５、マウス２６などの制御装置が無線方式により接続されている。
【００１３】
図３を参照する。図３に示すように、本考案の一実施形態によるデスク型コンピュータ装置は、ユーザの視線の高さ又は使用習慣に応じ、机上面部１１に配置したディスプレイ２４の傾斜角度を調整することができる。図４に示すように、本実施形態の机本体１０は、事務用机フレーム３０と接続してオフィス用のデスクなどとして用いることができる。さらに、ディスプレイ２４の上方には、ディスプレイ２４に光が反射してユーザが見にくくなることを防ぐために、反射防止用カバー１３を配置してもよい。
【００１４】
本考案の好適な実施形態を前述の通り開示したが、これらは決して本考案を限定するものではない。本考案の主旨と領域を逸脱しない範囲内で各種の変更や修正を加えることができる。従って、本考案の範囲は、このような変更や修正を含めて広く解釈されるべきである。
【符号の説明】
【００１５】
１０  机本体
１１  机上面部
１２  コンピュータシステム配置部
１３  反射防止用カバー
２０  コンピュータ演算システム
２１  入力インタフェース
２２  電源システム
２３  放熱システム
２４  ディスプレイ
２５  キーボード
２６  マウス
３０  事務用机フレーム
【図１】
0003167581.tif 000003
【図２】
0003167581.tif 000004
【図３】
0003167581.tif 000005
【図４】
0003167581.tif 000006
【手続補正書】
【提出日】平成22年11月2日(2010.11.2)
【手続補正１】
【補正対象書類名】実用新案登録請求の範囲
【補正対象項目名】全文
【補正方法】変更
【補正の内容】
【実用新案登録請求の範囲】
【請求項１】
コンピュータシステム配置部を有する机本体を備えるデスク型コンピュータ装置であって、
前記コンピュータシステム配置部においては、コンピュータ演算システム、入力インタフェース、電源システム、放熱システム及び１つ以上の並列式ディスプレイが配置され、
前記コンピュータ演算システムには、キーボード及びマウスの制御装置が無線方式により接続され、
前記机本体において、コンピュータシステムを配置することにより、机とコンピュータシステムとが一体に結合されたシステムアーキテクチャを構成し、前記ディスプレイのそれぞれで実行されるシステムを切換え又は制御することを特徴とするデスク型コンピュータ装置。
【請求項２】
前記コンピュータ演算システムは、前記入力インタフェース、前記電源システム、前記放熱システム及び前記ディスプレイと接続されてなることを特徴とする請求項１に記載のデスク型コンピュータ装置。
【請求項３】
前記ディスプレイは、前記机本体の机上面部に嵌設され、傾斜角度が調整可能であり、上方に取り付けられている反射防止用カバーを有することを特徴とする請求項１に記載のデスク型コンピュータ装置。
【手続補正書】
【提出日】平成23年2月28日(2011.2.28)
【手続補正１】
【補正対象書類名】実用新案登録請求の範囲
【補正対象項目名】全文
【補正方法】変更
【補正の内容】
【実用新案登録請求の範囲】
【請求項１】
コンピュータシステム配置部を有する机本体を備えるデスク型コンピュータ装置であって、
前記コンピュータシステム配置部が、机本体の机上面部の下部に位置する前記机本体の内部に設けられてあり、前記コンピュータシステム配置部内において、コンピュータ演算システム、入力インタフェース、電源システム、放熱システム及び１つ以上の並列式ディスプレイが配置され、
前記コンピュータ演算システムには、キーボード及びマウスの制御装置が無線方式により接続され、
前記机本体の前記コンピュータシステム配置部において、コンピュータシステムを配置することにより、机とコンピュータシステムとが一体に結合されたコンピュータシステムを備えた机本体を構成したことを特徴とするデスク型コンピュータ装置。
【請求項２】
前記コンピュータ演算システムは、前記入力インタフェース、前記電源システム、前記放熱システム及び前記ディスプレイと接続されてなることを特徴とする請求項１に記載のデスク型コンピュータ装置。
【請求項３】
前記ディスプレイは、前記机本体の机上面部に嵌設され、傾斜角度が調整可能であり、上方に取り付けられている反射防止用カバーを有することを特徴とする請求項１に記載のデスク型コンピュータ装置。